(57)【要約】【課題】  従来の咽喉マイクロホンは外部の騒音が入りやすいため騒音下では使用できなかった。又ハウリングもおきやすい欠点がありました。これらの咽喉マイクロホンは薄く、小さく、軽い咽喉はできなかった。【解決手段】  本発明では、それらの欠点を補い、まったく新しいタイプの圧電式咽喉マイクロホンを発明した。  特に低周波数域から高周波数域まで明瞭な音圧で十分な音域が得られる発明となっている。本発明は、使用目的に合うドライバーを選択して使用することができる。  技術的には、今日まで使用していなかったバイモルフ仕様、台形のセラミックスの使用、電極板の新しい仕様等、優れた圧電式咽喉マイクロホンを提供する。【選択図】図８
2009201086.tif 000002
【特許請求の範囲】
【請求項１】
高騒音環境下において、十分な音圧、周波数、明瞭度を有する音声通信を確保するため、圧電式咽喉マイクロホンを発明した。従来方式の咽喉マイクロホンは高周波成分が減衰するのは喉頭外壁が低域通過フィルタと同様の伝達特性を持つためである。しかし本発明の圧電式咽喉マイクロホンは、それを補う手段として、セラミックスの特長である高周波成分を強調できる方法として、セラミックスをできるだけ薄くして（５０ミクロン）バイモルフ仕様にしてそれに合う電極板は、薄くてもバネ性の強い材料を選んだ厚さは３０ミクロンから１００ミクロン要求される性能によって、厚さを決め、声道壁振動を多く検出できるようにした。本発明では、圧電式咽喉マイクロホンを通して行う音声通信の音声が自然性のある音声で高周波成分が十分に含んでいる。音声が明瞭で雑音やハウリング等がおきない音声通信システムである。
【請求項２】
本発明の圧電式咽喉マイクロホンは、要求される性能により、厚さ５０μ〜１５０μの中からセラミックスを選び出す。次に選び出したセラミックスの厚さ、大きさ（直径）に合わせ３０μ〜１８０μの中から電極板を選び出し（弊社独自の計算方式により）セラミックスを接着する。セラミックスの接着方式はバイモルフ仕様を採用する。セラミックスを電極板に接着するボンドは弊社独自に調合したボンドを使用し接着後２４時間経過後、接着検査した時φ９ｍｍのロット棒にまま付けてセラミックスが剥れないこと。
【請求項３】
本発明の送信用圧電式咽喉マイクロホンは使用する場所「耳たぶの陰」または、咽喉（ノド全体）等の位置によってセラミックスの大きさ、厚さ（ｔ０．０５〜０．１ｍｍ）、電極板の大きさ、厚さ（ｔ０．０３〜０．１ｍｍ）を決定いたしますが、セラミックスは丸か長方形、大きさ、厚さは要求される性能によって決定します。電極板の形状は別紙図面により、大きさ、厚さ等についても要求される性能によって決定する。
【請求項４】
本発明のセラミックス接着は、請求項１、２によって計算されたセラミックス及び電極板を弊社独自の調合によってつくられたボンドを使用し、バイモルフ仕様に接着する。特に電極板の形状と性能には大きなかかわりが有ります。外観のユニットケース（デザインとの関係）に依って最終形状を決定する（別紙図を参照）。
【請求項５】
本発明の特長であり、研究課題でもあった、性能が良く軽くて、薄型であることを実現した圧電式咽喉マイクロホンは完成品で５ｍｍ、重さ１．５ｇを実現した。
仕様
セラミックス      ｔ０．０５×φ９ｍｍ（丸型）
ｔ０．０５×巾１０ｍｍ×長さ１２ｍｍ（台形）
電極板            ｔ０．１×φ１０ｍｍ（丸型）
ｔ０．１×巾１０ｍｍ×長さ１６ｍｍ（台形）
マイクロホン      方式                圧電式咽喉マイクロホン
インピーダンス      １．６ＫΩ  ＴＹＰ（１ｋＨｚ）
音圧感度            ８２ｍＶ    ＴＹＰ（１ｋＨｚ／接触時）
最大入力            １００ｄｂ  ＴＹＰ（正弦波／接触時）
周波数範囲          ５０Ｈｚ〜５ｋＨｚ
【発明の詳細な説明】
【技術分野】
【０００１】  本発明は、集音器に関する圧電式マイクロホン
【背景技術】
【０００２】
【非特許文献１】咽喉マイクロホン                特許出願２００３−３５１９１９
【非特許文献２】騒音遮断型送受器                特許出願平６−１２８４４３
【非特許文献３】ハンドル付きの咽喉マイクロホン  特許出願２００３−４１９２０４
【非特許文献４】送受話器                        特許出願２０００−２３０３４６
【非特許文献５】送受話装置                      特許出願２００１−１６４５９２
【発明の開示】
【発明が解決しようとする課題】
【０００３】  本発明は従来方式（電動方式）の一番欠点と云われている雑音をひろうことが多く、相手が言葉を理解しにくい欠点有りました。
もう一つの欠点はマイクロホンを薄く小さく軽くできなかった事。
本発明では圧電ドライバーの振動を効率よく、直接伝達する方法を提供する。
従来の圧電式マイクロホンは、高音域での再生能力が悪く不足でパワーがなく、中、低音領域では、音圧、周波数不足でした。
本発明はこうした従来技術の問題を解決することを技術課題としており、圧電ドライバーの開発により低音域から中、高音域まで再生能力をアップさせる技術の向上を目的としたものである。
【課題を解決するための手段】
【０００４】  本発明はセラミックスと電極板の利用方法の見直しを行い、次にセラミックスの厚さ大きさ形状の開発、次に電極板の材質、厚さ、大きさ、形状を開発した。セラミックスの厚さをｔ０．０５に設定し、大きさφ９ｍｍ丸型した。
要求される性能によりｔ０．０５×巾９ｍｍ×長さ１２ｍｍの長方形し、セラミックスの仕様をバイモルフで対応した。
【発明の効果】
【０００５】  本発明によれば、要求される性能及び大きさ等により、セラミックス、電極板の、形状等を性能に合った部品を選択でき性能の良い製品を製作できる。更にセラミックスをバイモルフに使用する事により、低音から中、高まで、再生でき、効率が良く、ノイズの少ない切れの良い音を再生して相手に伝えることできる。
【発明を実施するための最良の形態】
【０００６】  本発明の圧電式咽喉マイクロホンは、セラミックスの厚さ形状、大きさとセラミックスをバイモルフにして使用すること等総合的に開発を行うことができ、発明の目的でもある、小さく、薄く、軽く、ノイズがでない、音圧、周波数もコントロールできる設計することができる。
【実施例】
【０００７】  騒音の激しい所、例えばトンネル掘り現場（１００ｄＢ）の騒音の所で使用しており問題なくはっきり聴き取ることができる。「ノド」咽喉から出る言葉は確実にひろい伝えますが、外の音（雑音）はひろはないシステムになっている。通信手段も携帯電話、トランシーバー、無線機等も使用されて居り、今後はますます使用範囲が広がって行くものと思われます（商品名：サウンドタッチ）
【産業上の利用可能性】
【０００８】  本発明の圧電式咽喉マイクロホンは、電圧で駆動しますので、少量の電流は流れますが、ダイナミック式マイクロホンの１／２０ぐらいの電流で使用できますので消費電力が少なく、磁気の影響がまったくなく省エネタイプのマイクロホンと云えます。現在販売しているサウンドタッチ（通信システム）には採用されて使用して居ります。今後予定しているのが、補聴器と水中スピーカシステムに、採用予定で、今後の市場性は非常に高いと考えて居ります。
【図面の簡単な説明】
【０００９】  本発明の課題を解決するためセラミックスと電極板の形状を研究した結果下記図の通り４種類のセラミックスの形状と電極板の形状が一番最適であることがわかった。何番のドライバーを使用するかは、要求される性能によって選択することができ安定した高品質のマイクロホンを製作することができる。
【図１】  図１は咽喉マイクロホンドライバーの平面図である。
【図２】  図２は、図１の断面図である。
【図３】  図３の形状は、図１よりパワーを必要とするとき採用する。反応が敏感である。図は平面図。
【図４】  図４は、図３の断面図
【図５】  図５の形状は、咽喉マイクロホンに外部より圧力等が加わるような場合に採用する。
【図６】  図６は、図５の断面図
【図７】  図７の形状は弊社独自の「全周波節中心支持方式」を採用した咽喉マイクロホン。この形状は、大きな咽喉マイクロホンを製作するときに採用する。少し厚くなる場合がある。
【図８】  図８は、図７の断面図。
【符号の説明】
【００１０】  １はセラミックス
２は、電極板（電極の材質４２アロイ使用）
３の斜線部分はドライバーの足となる部分
４はセラミックス
５は、電極板
６は、三角形の斜線の部分は咽喉マイクロホンのドライバーの足となる部分
７はセラミックス
８電極板
９は、斜線の部分より直角に折り曲げ咽喉マイクロホンドライバーの足となる部分。
１０は、セラミックス
１１は電極板
１２センター支持穴
【図１】
2009201086.tif 000003
【図２】
2009201086.tif 000004
【図３】
2009201086.tif 000005
【図４】
2009201086.tif 000006
【図５】
2009201086.tif 000007
【図６】
2009201086.tif 000008
【図７】
2009201086.tif 000009
【図８】
2009201086.tif 000010